(57)【要約】【課題】身体が不自由な使用者やギブスを嵌めた使用者に優しい衣服を提供する。【解決手段】身体の少なくとも一部を筒状に被包することができる、たとえば胴部２１や腕部２２を被包するシャツなどの衣服１において、その筒を破断面１１１，１２１，１３１で破断して、胴部２１や腕部２２を衣服１の中を通さず、周囲から巻付けるようにすることで、身体の機能に不自由がある使用者や、ギブスを嵌めた使用者にでも、着用できるようにする。さらに、対を成す破断面間を磁石による吸着で止めるようにし、容易に脱いだり着たり、たとえば片手で脱いだり着たりできるようにする。また、磁気吸着であるので、その吸着力は継続して発揮され、不所望に脱げてしまったりすることもない。さらにまた、対を成す破断面を異なる形状に形成しておくことで、破断面がずれて吸着してしまう、すなわちボタンの掛け違いのような着間違いを防止する。【選択図】図１
2019085666.tif 000002
【特許請求の範囲】
【請求項１】
身体の少なくとも一部を筒状に被包することができる衣服において、
前記筒は破断され、その破断により対を成す破断面の近傍には、該対を成す破断面間で磁気吸着することができる第１の磁気吸着部材を備え、
前記対を成す破断面は、少なくとも一部の箇所において、隣接する箇所と、相互に異なる形状に形成されることを特徴とする衣服。
【請求項２】
前記対を成す破断面間は、前記第１の磁気吸着部材による吸着の後、近傍に設けられた面ファスナーまたはホックによって、さらに固定されることを特徴とする請求項１記載の衣服。
【請求項３】
前記第１の磁気吸着部材は、前記破断面の破断方向に分断されており、その分断部分に補助電磁石が設けられていることを特徴とする請求項１または２記載の衣服。
【請求項４】
前記電磁石は、制御装置によって電力付勢が制御されており、
前記制御装置には、スマートフォンと近距離無線通信によって、前記電力付勢の指示が与えられることを特徴とする請求項３記載の衣服。
【請求項５】
前記スマートフォンは、音声認識によって、前記制御装置に前記電力付勢の指示を与えることを特徴とする請求項４記載の衣服。
【請求項６】
前記対を成す破断面の一方の生地の裏面には、前記磁気吸着の際に、他方の生地の破断面を案内する案内テープが貼付けられていることを特徴とする請求項１〜５の何れか１項に記載の衣服。
【請求項７】
上着であり、前記破断面は、左右の前開きとともに、胸元から前腕部に連通して形成されることを特徴とする請求項１〜６の何れか１項に記載の衣服。
【請求項８】
前記請求項１〜７の何れか１項に記載の衣服を上着として使用され、
非着用の状態で、大略帯状に形成され、略中央部に使用者の首を通す孔が形成され、着用状態では、使用者の前側および背中側に垂下がり、前記上着の着用の補助となるアンダーウエアをさらに備えることを特徴とする衣服。
【請求項９】
前記上着は左右のピースに半割れ可能であり、前記上着およびアンダーウエアの肩部には、相互に磁気吸着する第２の磁気吸着部材が設けられていることを特徴とする請求項８記載の衣服。
【請求項１０】
前記上着およびアンダーウエアには、前記上着を前記半割れにする境界線付近に、相互に磁気吸着する第３の磁気吸着部材が設けられていることを特徴とする請求項９記載の衣服。
【請求項１１】
前記アンダーウエアは、メッシュ生地から成ることを特徴とする請求項８記載の衣服。
【請求項１２】
前記アンダーウエアは、放射線遮断素材から成ることを特徴とする請求項８記載の衣服。
【発明の詳細な説明】
【技術分野】
【０００１】
本発明は、身体の少なくとも一部を筒状に被包することができる、たとえば胴部や腕部を被包するシャツなどの衣服に関し、特に身体の機能に不自由がある使用者やギブスを嵌めた使用者に脱いだり着たりし易くすることができるように、前記の筒が破断されている衣服に関する。
【背景技術】
【０００２】
障害者やお年寄りが脱いだり着たりし易い衣服を実現するために、たとえば特許文献１では、電磁ボタンが提案されている。この従来技術によれば、使用者が上着を着て（袖を通して）、前見頃（シャツの場合は前立て）を合せて、前記電磁石を励磁することで係合を行わせている。これによって、片手の不自由な人や、幼児・お年寄り等の細かな作業ができない使用者にも、脱いだり着たりし易い衣服が提案されている。
【先行技術文献】
【特許文献】
【０００３】
【特許文献１】特開２００１−２１０号公報
【発明の概要】
【発明が解決しようとする課題】
【０００４】
上述の従来技術では、電磁石の極性が互い違いに配置されており、前見頃が大きくずれて吸着してしまう、すなわちボタンの掛け違いのような着間違いを防止することができるようにもなっている。しかしながら、普通の衣服にボタンだけ細工をしたので、手が上がらなかったり、ギブスを嵌めていたりして、袖などを通すことができない使用者は着用することができない。また、電磁石のために、電力付勢が無くなると、吸着が外れ、衣服が脱げて、たとえば胸元がはだけてしまうという問題がある。
【０００５】
本発明の目的は、身体の機能に不自由がある使用者やギブスを嵌めた使用者が容易に着脱することができるとともに、不所望に脱げたりしない衣服を提供することである。
【課題を解決するための手段】
【０００６】
本発明の衣服は、身体の少なくとも一部を筒状に被包することができる衣服において、前記筒は破断され、その破断により対を成す破断面の近傍には、該対を成す破断面間で磁気吸着することができる第１の磁気吸着部材を備え、前記対を成す破断面は、少なくとも一部の箇所において、隣接する箇所と、相互に異なる形状に形成されることを特徴とする。
【０００７】
上記の構成によれば、身体の少なくとも一部を筒状に被包することができる、たとえば胴部や腕部を被包するシャツなどの衣服において、その筒を破断して、前記胴部や腕部を衣服の中を通さず、つまり体を大きく動かさなくても、前記胴部や腕部に周囲から巻付けるようにして、着用できる衣服を作成する。これによって、身体の機能に不自由がある使用者や、ギブスを嵌めた使用者にでも、着用することができる衣服を作成することができる。
【０００８】
しかしながら、そのような衣服は、対を成す破断面間をボタンなどで止めていたのでは、前記胴部や腕部を衣服の中を通さなくてもよいものの、前記身体の機能が不自由な人にとっては、脱いだり着たりすることが、非常な困難となる。そこで、本発明では、第１の磁気吸着部材を破断面の近傍に設け、対を成す破断面間を磁気吸着で止める。これによって、破断面が或る程度近付くと吸着によって相互に係止し、また引き離すことでその吸着が外れ、容易に脱いだり着たりすることができるようになる。たとえば、片手が不自由な使用者でも、もう片方の手で脱いだり着たりすることができる。また、磁気吸着であるので、その吸着力は継続して発揮され、吸着力を上回る力が加わらないと吸着が外れないので、不所望に脱げてしまったりすることもない。
【０００９】
さらに、その対を成す破断面を、少なくとも一部の箇所において、隣接する箇所と、相互に異なる形状に形成しておく。したがって、前記対を成す破断面がずれて吸着してしまう、すなわちボタンの掛け違いのような着間違いを防止することができ、前記身体の機能に不自由がある使用者やギブスを嵌めた使用者に優しい衣服を提供することができる。
【００１０】
また、本発明の衣服では、前記対を成す破断面間は、前記第１の磁気吸着部材による吸着の後、近傍に設けられた面ファスナーまたはホックによって、さらに固定されることを特徴とする。
【００１１】
上記の構成によれば、第１の磁気吸着部材による吸着を仮止めとし、面ファスナーまたはホックで、強固に本止めすることができる。これによって、前記胴部や腕部に周囲から巻付けるようにして着ても、前記胴部や腕部を筒状の衣服に通して着た場合と同様に、脱げ難くすることができる。
【００１２】
さらにまた、本発明の衣服では、前記第１の磁気吸着部材は、前記破断面の破断方向に分断されており、その分断部分に補助電磁石が設けられていることを特徴とする。
【００１３】
上記の構成によれば、前記破断面の全部に第１の磁気吸着部材を設けるのでは無く、一部に補助電磁石を設けておくことで、吸着力をアップすることができるとともに、逆極性に付勢することで、解放、すなわち脱ぐことが容易になる。
【００１４】
また、本発明の衣服では、前記電磁石は、制御装置によって電力付勢が制御されており、前記制御装置には、スマートフォンと近距離無線通信によって、前記電力付勢の指示が与えられることを特徴とする。
【００１５】
上記の構成によれば、スマートフォンで、電磁石の前記吸着や解放を制御することができ、利便性を向上することができる。
【００１６】
さらにまた、本発明の衣服では、前記スマートフォンは、音声認識によって、前記制御装置に前記電力付勢の指示を与えることを特徴とする。
【００１７】
上記の構成によれば、スマートフォンのネットワークを利用した人工知能による音声認識機能などを利用して、使用者がスマートフォンに話し掛けるだけで、電磁石の吸着や解放を制御、すなわち着たり脱いだりすることができ、特に手の不自由な使用者の利便性を向上することができる。
【００１８】
また、本発明の衣服では、前記対を成す破断面の一方の生地の裏面には、前記磁気吸着の際に、他方の生地の破断面を案内する案内テープが貼付けられていることを特徴とする。
【００１９】
上記の構成によれば、ファスナーにおけるスライダーを案内するような案内テープを、同様に設けておくことで、磁気吸着の際に破断面が生地の裏面に潜り込んだり、下に着ている下着等の皺に阻害されたりすることを未然に防止し、前記対を成す破断面同士を、円滑に磁気吸着させることができる。
【００２０】
さらにまた、本発明の衣服は、上着であり、前記破断面は、左右の前開きとともに、胸元から前腕部に連通して形成されることを特徴とする。
【００２１】
上記の構成によれば、上着で肩や腕を通すにあたって、肩や、それから連なる腕の頂部に破断面を形成すると、衣服が前後に分割されることになる。これに対して、胸元から前腕部に破断面を形成すると、衣服は、後ろ側に多く、分割されることになる。これによって、前記肩や腕の頂部を越えて、胸元から前腕部に垂れ下がる部分が引っ掛かる、つまりずり落ちないので、前記後ろ側を先に装着して、次に前側を持って来て、破断面同士を合せることで、容易に着用することができる。
【００２２】
好ましくは、肩パッドが入れられていることを特徴とする。
【００２３】
上記の構成によれば、上着の衣服は、前記の胸元で切り開かれて後ろ側の部分が肩に載るようになっているが、肩パッドが入れられていることで、よりずり落ち難くなる。
【００２４】
また、本発明の衣服は、前記の衣服を上着として使用され、非着用の状態で、大略帯状に形成され、略中央部に使用者の首を通す孔が形成され、着用状態では、使用者の前側および背中側に垂下がり、前記上着の着用の補助となるアンダーウエアをさらに備えることを特徴とする。
【００２５】
上記の構成によれば、アンダーウエアは、着用すると、帯状の生地に孔を開けて首を通した、簡単なチョッキ、つまり袖無しの胴着の両脇を開いたようなものとなる。そして、このアンダーウエアを被るだけで、上述の衣服を上着として、前記の破断面が案内され、容易に着用することができる。
【００２６】
さらにまた、本発明の衣服では  前記上着は左右のピースに半割れし、左右から１人で着脱可能であり、前記上着およびアンダーウエアの肩部には、相互に磁気吸着する第２の磁気吸着部材が設けられていることを特徴とする。
【００２７】
上記の構成によれば、上述のようにアンダーウエアが上着の案内となるので、上着は左右２ピースに分割されるだけで、着用し易い。特に、使用者が袖を通せる場合、上述の胸元や煩雑な腕周りは破断（展開可能）にする必要は無いので、より着用し易くすることができる。そして、上着およびアンダーウエアの肩部には、相互に磁気吸着する第２の磁気吸着部材が設けられているので、半割れの上着を肩部に乗せるだけで、首回りが出る正しい位置に着用することができる。
【００２８】
また、本発明の衣服では、前記上着およびアンダーウエアには、前記上着を前記半割れにする境界線付近に、相互に磁気吸着する第３の磁気吸着部材が設けられていることを特徴とする。
【００２９】
上記の構成によれば、第３の磁気吸着部材の吸着によって、半割れの上着が、アンダーウエアの上で、前見頃および後ろ身頃を合せた正しい位置に着用することができる  。
【００３０】
さらにまた、本発明の衣服では、前記アンダーウエアは、メッシュ生地から成ることを特徴とする。
【００３１】
上記の構成によれば、実際の衣服を上着として着用するにあたって、メッシュの通気性を利用して、アンダーウエアとしての機能を向上することができる。
【００３２】
また、本発明の衣服では、前記アンダーウエアは、放射線遮断素材から成ることを特徴とする。
【００３３】
上記の構成によれば、アンダーウエアは、鉛板をぶら下げる放射線遮蔽服として使用することができる。その上で、上着を、粉塵などに対する放射線防護服として使用することができる。そして、その放射線防護服は、上述のように、非常に着用し易い。
【発明の効果】
【００３４】
本発明の衣服は、以上のように、身体の少なくとも一部を筒状に被包することができる、たとえば胴部や腕部を被包するシャツなどの衣服において、その筒を破断して、前記胴部や腕部を衣服の中を通さず、周囲から巻付けるようにすることで、身体の機能に不自由がある使用者や、ギブスを嵌めた使用者にでも、着用できる衣服を作成することができる。
【００３５】
さらに、対を成す破断面間を磁気吸着で止めるので、容易に脱いだり着たりすることができ、たとえば片手で脱いだり着たりすることができる。また、磁気吸着であるので、その吸着力は継続して発揮され、不所望に脱げてしまったりすることもない。さらにまた、その対を成す破断面を異なる形状に形成しておくことで、破断面がずれて吸着してしまう、すなわちボタンの掛け違いのような着間違いを防止することができ、前記身体の機能に不自由がある使用者やギブスを嵌めた使用者に優しい衣服を提供することができる。
【図面の簡単な説明】
【００３６】
【図１】本発明の実施の一形態に係る衣服の正面図である。
【図２】前記衣服において着脱の際に開ける破断面の構造を模式的に示す正面図である。
【図３】前記破断面の構造を模式的に示す断面図である。
【図４】本発明の実施の他の形態に係る衣服であるアンダーウエアの斜視図である。
【図５】本発明の実施のさらに他の形態に係る衣服である上着の正面図である。
【図６】図５で示す上着と合わせて着用されるアンダーウエアの斜視図である。
【発明を実施するための形態】
【００３７】
（実施の形態１）
図１は、本発明の実施の一形態に係る衣服１の正面図である。この衣服１は、シャツを模式的に示しているが、本発明は、上半身に着用する衣服だけでなく、ズボンなどの下半身に着用する衣服であってもよい。ただし、本発明が対象とする衣服は、身体の少なくとも一部を筒状に被包することができる衣服である。図１の場合、使用者２の胴部２１および腕部２２を筒状に被包する。つまり、そのままでは、使用者２は、前記筒に、首２３や腕部２２を通したりして着用する必要のある衣服である。
【００３８】
しかしながら、この衣服１は、身体の機能に不自由がある使用者や、ギブスを嵌めた使用者にでも、着用できるように、前記の筒を破断して、胴部２１や腕部２２を衣服１の中を通さず、つまり体を大きく動かさなくても、該胴部２１や腕部２２に周囲から巻付けるようにして、着用できるようになっている。前見頃１１（シャツの場合は前立て）の部分の縦方向への破断面を参照符号１１１で示し、胸部１２での横方向への破断面を参照符号１２１で示し、袖１３の前腕部での破断面を参照符号１３１で示している。
【００３９】
この衣服１は、そのように筒を切り開いて使用者２が着用することが可能になっているので、着用した後には、破断面１１１，１２１，１３１を閉じて、脱げ難くする必要がある。そこで、破断面１１１，１２１，１３１の近傍には、その間を連結するように、面ファスナー１１２，１２２，１３２が設けられている。面ファスナー１１２，１２２，１３２は、片手で引き剥がしたり、押し付けたりすることで、衣服１の脱着が可能になるが、同様に片手操作が可能なホックが用いられてもよい。このようにして、胴部２１や腕部２２に周囲から巻付けるようにして着用しても、該胴部２１や腕部２２を筒状の衣服１に通して着た場合と同様に、脱げ難くすることができる。
【００４０】
この衣服１は、上述のように、使用者２の胴部２１や腕部２２を該衣服１の中を通さなくて脱着できるものの、該衣服１を使用者２の肩部２４に掛け、面ファスナー１１２，１２２，１３２を貼付けるまでに、破断面１１１，１２１，１３１を合せる作業に困難がある。そこで本実施形態の衣服１では、図２で示すように、破断面１４の近傍に（図２では破断面１４に）、第１の磁気吸着部材である磁石３を設けている。図２の破断面１４は、同様の構造を有する破断面１１１，１２１，１３１を代表して示すものであり、図２は、共通の破断面１４に隙間を生じているように、該破断面１４を僅かに離した状態で示している。
【００４１】
したがって、使用者２が衣服１を肩部２４に掛け、面ファスナー１１２，１２２，１３２を貼付ける前に、対を成す破断面１４間を或る程度近付けることで、磁石３が磁気吸着によって相互に係止し、仮止めを行うことができる。その後、使用者２は、面ファスナー１１２，１２２，１３２を貼付けることで、強固に本止めすることができる。一方、面ファスナー１１２，１２２，１３２を剥がし、衣服１の一部を引っ張って磁石３を引き離すことで、その吸着が外れる。こうして、たとえば片手が不自由な使用者でも、もう片手で脱いだり着たりすることができ、身体の機能が不自由な使用者や、ギブスを嵌めている使用者にとっても、衣服１を、容易に着たり脱いだりすることができる。また、磁気吸着であるので、その吸着力は継続して発揮され、吸着力を上回る力が加わらないと吸着が外れないので、不所望に脱げてしまったりすることもない。
【００４２】
さらに、注目すべきは、本実施形態の衣服１では、対を成す破断面１４を、少なくとも一部の箇所において、隣接する箇所と、相互に異なる形状に形成しておくことである。図２の例では、参照符号１４ａで示す破断基準面に対して、破断面１４は凹凸に形成されており、対向面間では、その凹凸の位相が一致している。しかしながら、参照符号Ｌ１で示す凹凸の部分と、参照符号Ｌ２で示す凹凸の部分との長さが異なる。これによって、対を成す破断面１４がずれて吸着してしまう、すなわちボタンの掛け違いのような着間違いを防止することができ、前記身体の機能に不自由がある使用者やギブスを嵌めた使用者に、優しい衣服を提供することができる。
【００４３】
さらにまた、注目すべきは、本実施形態の衣服１では、磁石３は、破断面１４の破断方向に連続して形成されておらず、分断されており、その分断部分に補助電磁石４が設けられていることである。補助電磁石４は、導線または導電板４１を介して、制御装置５（図１参照）に接続されている。制御装置５は、衣服１のポケット１５などに内蔵されており、使用者２の指示に応答して、補助電磁石４を電力付勢（通電）するか否か、および電力付勢（通電）する場合の付勢（通電）方向を制御する。
【００４４】
制御装置５が、補助電磁石４を吸着方向に電力付勢（通電）することで、使用者２が大まかに合せていた衣服１の破断面１４を完全に一致させて、磁石３の係合を行わせることができる。磁石３の吸着後、電力付勢（通電）が停止され、磁石３の吸着のみとなり、前記制御装置５の電池の消耗が抑えられる。したがって、電池切れで、衣服１が不所望に脱げてしまうようなこともない。電力付勢（通電）の停止は、使用者２の操作によって行われてもよく、または制御装置５にタイマー機能を持たせて、それで行われてもよい。面ファスナー１１２，１２２，１３２が剥がされている状態で、制御装置５が、補助電磁石４を反発方向に電力付勢（通電）することで、その反発力は磁石３の吸着力を超えて、衣服１の破断面１４が外れ、衣服１を脱ぎ易くなる。
【００４５】
このように、破断面１４の全部に磁石３を設けるのでは無く、一部に補助電磁石４を設けておくことで、吸着力をアップすることができるとともに、逆極性に付勢することで、解放、すなわち脱ぐことが容易になる。
【００４６】
さらに、制御装置５によって、補助電磁石４の電力付勢（通電）を制御する場合、図１で示すように、その制御装置５を、スマートフォン６１によって制御することが好ましい。詳しくは、スマートフォン６１は、近距離無線通信６２によって、制御装置５に、電力付勢（通電）の指示を与える。そうすることで、スマートフォン６１で、補助電磁石４の吸着や解放を制御することができ、利便性を向上することができる。
【００４７】
さらに好ましくは、スマートフォン６１は、音声認識によって、制御装置５に前記電力付勢の指示を与える。その音声認識は、スマートフォン６１がネットワーク６３を介してサーバコンピュータ６４に音声データを送信し、人工知能による音声認識機能などを利用して実現することができる。これによって、使用者２がスマートフォン６１に話し掛けるだけで、補助電磁石４の吸着や解放を制御、すなわち着たり脱いだりすることができ、特に手の不自由な使用者の利便性を向上することができる。
【００４８】
ところで、衣服１の生地１０は、様々である。本実施形態の衣服１も、下着として着用されてもよく、上着として着用されてもよい。たとえば、綿素材は、皺が寄り易く、衣服１自体、或いはその下に着込まれているシャツが、そのような皺の寄り易い素材である場合、その皺のために、破断面１４が皺に埋もれてしまったり、或いは破断面１４間に皺を挟み込んだりしてしまう可能性がある。そこで本実施形態の衣服１では、図３で示すように、対を成す破断面１４の一方の生地１０１の裏面に、案内テープ７が貼付けられている。
【００４９】
この案内テープ７は、ファスナーにおけるスライダーを案内するような案内テープと同様である。したがって、この案内テープ７を設けておくことで、磁石３や補助電磁石４による磁気吸着の際に、生地１０２側の破断面１４が生地１０１の裏面に潜り込んだり、下に着ている下着等の皺に阻害されたりすることを未然に防止し、対を成す破断面１４同士を、円滑に磁気吸着させることができる。
【００５０】
さらに、本実施形態の衣服は、上述のように、ズボンなどに適用されてもよいが、本実施形態の衣服１は、上着のシャツを例示している。その場合、図１で示すように、破断面１４は、破断面１１１による左右の前開きとともに、破断面１２１による胸元から、破断面１３１による前腕部に連通して形成されることが好ましい。これは、上着で、肩２４や腕２２を通すにあたって、肩２４や、それから連なる腕２２の頂部２４１，２２１に破断面１２１，１３１を形成すると、衣服が前後に分割されることになるのに対して、この図１のように胸元から前腕部に破断面１２１，１３１を形成すると、衣服１は、後ろ側に多く分割されることになるためである。これによって、肩２４や腕２２の頂部２４１，２２１を越えて、胸元から前腕部に垂れ下がる部分が引っ掛かる、つまりずり落ちないので、前記後ろ側を先に装着して、次に前側を持って来て、破断面１１１，１２１，１３１同士を合せることで、容易に着用することができる。
【００５１】
また、こうして上着の衣服１が破断面１２１によって胸元で切り開かれて後ろ側の部分が肩２４に載るようになっている場合、肩パッド１６が入れられていることが好ましい。そうすることで、よりずり落ち難くなる。
（実施の形態２）
図４は、本発明の実施の他の形態に係る衣服であるアンダーウエア８の斜視図である。このアンダーウエア８は、図４（ａ）で示すように、非着用の状態で、大略帯状に形成され、その帯の長手方向および幅方向の略中央部に、使用者２の首２３を通す孔８１が形成される。破断面１６１は、使用者２の胸元に、横一直線で形成されている。これによって、このアンダーウエア８は、図４（ｂ）で示すように、着用状態では、使用者２の前側および背中側に垂下がるものである。つまり、着用すると、帯状の生地に孔８１を開けて首２３を通した、簡単なチョッキ、つまり袖無しの胴着の両脇を開いたようなものとなる。破断面１６１は、磁石３や補助電磁石４を備えており、また面ファスナー１６２によって、本止めされる。
【００５２】
したがって、このアンダーウエア８は、２つのピース８２，８３に分割されるだけで、着用し易く、特に煩雑な腕周りを止める必要が無いので、袖を通し難い使用者が着用し易い。着用は、孔８１に首２３を通して、ピース８３を背中にあてがい、ピース８２を胸元にあてがい、破断面１６１の磁石３や補助電磁石４を吸着させて仮止めを行い、面ファスナー１６２で本止めを行うことで実現することができる。
【００５３】
２つのピース８２，８３の表面には、帯の長手方向に延びる磁石８４が敷設される。そうすることで、この着易いアンダーウエアを着用した上で、上述の衣服１を実際の上着として着用し、上着側の磁石と磁石８４との吸着によって、弛みなどの無いように正しく着付けを行うことができる。好ましくは、ピース８２，８３が、メッシュ生地から成ることで、アンダーウエアとして実際の上着を着用する場合、メッシュの通気性によって、蒸れずに好適である。このような上着とアンダーウエア８との組合わせは、介護用などに好適である。
【００５４】
また、孔８１の中央から胸元の破断面１６１の中央に、切れ目１６３を形成しておくことで、このアンダーウエア８は、袖も無く、面ファスナー１６２を外し、補助電磁石４の電力付勢（通電）を解除して、２つのピース８２，８３に分割すれば、首２３の周りを切り開くことができる。これによって、面ファスナー１６２を緩めて上着を着用後、補助電磁石４の電力付勢（通電）を解除した後、ピース８２，８３の両端を引っ張って、上着の内側で脱ぐことができる。これによって、上着を正しく着ることができる。
（実施の形態３）
図５は、本発明の実施のさらに他の形態に係る衣服である上着９の正面図である。この上着９は、図１〜３で示す衣服１に類似し、対応する部分には同一の参照符号を付して、その説明を省略する。注目すべきは、この上着９は、左右のピース９１，９２に、半割れし、左右から１人で着脱可能になっていることである。つまり、前見頃１１、胸部１２、袖１３だけでなく、背中１７にも破断面１７１が形成されていることである。その破断面１７１には、前側の破断面１１１と同様に、磁石３や補助電磁石４が設けられている（図示せず）。この上着９は、胸部１２や袖１３には破断面１２１，１３１が形成されていない、つまり使用者２は袖１３を通して着用する必要があるが、衣服１と同様に、破断されていてもよい。
【００５５】
また注目すべきは、本実施形態では、そのような半割れのピース９１，９２を着用し易くするために、図６で示すようなアンダーウエア８ａが、合せて着用されることである。このアンダーウエア８ａは、アンダーウエア８と同様に、非着用の状態では、図６（ａ）で示すように大略帯状に形成され、その帯の長手方向および幅方向の略中央部に、使用者２の首２３を通す孔８１ａが形成される。図６（ｂ）で示す着用状態では、使用者２の前側および背中側に、２つのピース８２ａ，８３ａが、それぞれ垂下がる。したがって、着用すると、帯状の生地に孔８１ａを開けて首２３を通した、簡単なチョッキ、つまり袖無しの胴着の両脇を開いたようなものとなる。そして、このアンダーウエア８ａを被るだけで、下着の皺の影響などを受けることなく、上着９の破断面１１１，１７１が案内され、容易に着用することができる。このアンダーウエア８ａは、２つのピース８２ａ，８３ａが連結されて構成されているが、前述のアンダーウエア８のように、破断面１６１で分割可能となっていてもよい。
【００５６】
また、注目すべきは、本実施形態では、上着９の肩部２４およびアンダーウエア８ａの肩部８７には、相互に磁気吸着する第２の磁気吸着部材である磁石９５１，９５２；８５１，８５２が設けられていることである。なお、磁石９５１，９５２と８５１，８５２との一方が、鉄板などの磁性体であってもよい。アンダーウエア８ａ側の磁石８５１，８５２は、棒状で、肩部８７の折り曲がり部分に、縫い付けや貼付けで固定されている。上着９側の磁石９５１，９５２は、棒状で、馬の鞍状の肩当て９６１，９６２の頂部に搭載され、その肩当て９６１，９６２が上着９の肩部２４の内側から縫い付けなどで固定される。磁石８５１，８５２は、図４のアンダーウエア８にも示す。
【００５７】
このように構成することで、半割れの左右のピース８２ａ，８３ａを、使用者２が袖１３を通してゆくと、上述のようにアンダーウエア８ａが上着９を案内し、やがて磁石９５１，９５２；８５１，８５２同士が吸着すると、半割れの上着９を肩部２４に乗せ、首２３回りが出る正しい位置に着用することができる。こうして、上着９を容易に着用することができる。特に、使用者２が袖１３を通せる場合、上述の胸元１２や煩雑な腕２２周りは破断（展開可能）にする必要は無いので、より着用し易くすることができる。
【００５８】
さらにまた、注目すべきは、本実施形態では、上着９およびアンダーウエア８ａにおいて、上着９を左右のピース８２ａ，８３ａに半割れにする境界線（破断面１１１，１７１）付近に、相互に磁気吸着する第３の磁気吸着部材である磁石９４１，９４２；８４１，８４２が設けられていることである。したがって、磁石９４１，９４２；８４１，８４２の吸着によって、半割れの上着９が、アンダーウエア８ａの上で、前見頃１１および後ろ身頃（１７）を合せた正しい位置に着用することができる  。
【００５９】
ここで、このような上着９とアンダーウエア８ａとの組合わせは、放射線作業で着用する衣服として好適である。具体的には、２つのピース８２ａ，８３ａは、布などの基材８２１，８３１の裏面に、放射線遮断素材８２２，８３２、たとえば鉛板が貼付けられて構成される。そうすることで、アンダーウエア８ａは、鉛板をぶら下げる放射線遮蔽服として使用することができる。一方、上着９を、フードやマスクなどを設け、さらにズボンと組合わせることで、粉塵などに対する放射線防護服として使用することができる。そして、その放射線防護服は、上述のように、非常に着用し易く、好適である。
【符号の説明】
【００６０】
１    衣服
１０；１０１，１０２    生地
１１    前見頃
１１１，１２１，１３１，１４，１６１，１７１    破断面
１１２，１２２，１３２，１６２    面ファスナー
１２    胸部
１３    袖
１４ａ  破断基準面
１５    ポケット
１６    肩パッド
１７    背中
２    使用者
２１    胴部
２２    腕部
２２１，２４１    頂部
２３    首
２４    肩部
３    磁石
４    補助電磁石
４１    導線または導電板
５    制御装置
６１    スマートフォン
６２    近距離無線通信
６３    ネットワーク
６４    サーバコンピュータ
８，８ａ    アンダーウエア
８１    孔
８２，８２ａ，８３，８３ａ    ピース
８４    磁石
８５１，８５２    磁石
８７    肩部
９    上着
９１，９２    ピース
９５１，９５２    磁石
９６１，９６２    肩当て
【図１】
2019085666.tif 000003
【図２】
2019085666.tif 000004
【図３】
2019085666.tif 000005
【図４】
2019085666.tif 000006
【図５】
2019085666.tif 000007
【図６】
2019085666.tif 000008
【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
身体の少なくとも一部を筒状に被包することができる衣服において、
前記筒は破断され、その破断により対を成す破断面の近傍には、該対を成す破断面間で磁気吸着することができる第１の磁気吸着部材を備え、
前記対を成す破断面は、少なくとも一部の箇所において、隣接する箇所と、相互に異なる形状に形成されることを特徴とする衣服。
【請求項２】
前記対を成す破断面間は、前記第１の磁気吸着部材による吸着の後、近傍に設けられた面ファスナーまたはホックによって、さらに固定されることを特徴とする請求項１記載の衣服。
【請求項３】
前記第１の磁気吸着部材は、前記破断面の破断方向に分断されており、その分断部分に補助電磁石が設けられていることを特徴とする請求項１または２記載の衣服。
【請求項４】
前記電磁石は、制御装置によって電力付勢が制御されており、
前記制御装置には、スマートフォンと近距離無線通信によって、前記電力付勢の指示が与えられることを特徴とする請求項３記載の衣服。
【請求項５】
前記スマートフォンは、音声認識によって、前記制御装置に前記電力付勢の指示を与えることを特徴とする請求項４記載の衣服。
【請求項６】
前記対を成す破断面の一方の生地の裏面には、前記磁気吸着の際に、他方の生地の破断面を案内する案内テープが貼付けられていることを特徴とする請求項１〜５の何れか１項に記載の衣服。
【請求項７】
上着であり、前記破断面は、左右の前開きとともに、胸元から前腕部に連通して形成されることを特徴とする請求項１〜６の何れか１項に記載の衣服。